(57)【要約】      （修正有）【課題】脱着式介助ポール装置を提供する。【解決手段】脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴を設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴に対応するボルト穴が設けてなり、手すり部９とベッド側板ＳＰの上面の間に、介助ポール１９を固定した固定板ＦＰを挟持して、それぞれのボルト穴を貫通したボルトＢとナットＮで締め付けることによって手すり装置１０と介助ポール装置２０がベッド側板ＳＰに取り付けられてなる。【選択図】図１
0003219548.tif 000002
【実用新案登録請求の範囲】
【請求項１】
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢをナットＮで締め付けることによって手すり装置１０と介助ポール装置２０がベッド側板ＳＰに取り付けられてなることを特徴とする電動介護ベッドＢＥＤに脱着可能に設置できる脱着式介助ポール装置２０。
【請求項２】
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することを特徴とする請求項１に記載された電動介護ベッドＢＥＤに脱着可能に設置できる脱着式介助ポール装置２０。
【請求項３】
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することを特徴とする請求項１〜２の何れかに記載された電動介護ベッドＢＥＤに脱着可能に設置できる脱着式介助ポール装置２０。
【請求項４】
介助ポール１９と第２の介助ポール２９の上端同士が水平梁３９で連結されていることを特徴とする請求項１〜３の何れかに記載された電動介護ベッドＢＥＤに脱着可能に設置できる脱着式介助ポール装置２０。
【請求項５】
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることを特徴とする請求項１〜４の何れかに記載された電動介護ベッドＢＥＤに脱着可能に設置できる脱着式介助ポール装置２０。
【請求項６】
上記請求項１〜５の何れかに記載された電動介護ベッドＢＥＤに脱着可能に設置できる脱着式介助ポール装置２０を設置した電動介護ベッドＢＥＤ。
【考案の詳細な説明】
【技術分野】
【０００１】
本考案は、電動介護ベッドに脱着可能に後付けで設置できる脱着式介助ポール装置に関する。
詳細には、電動介護ベッドに脱着可能に後付けで設置できる介助ポール装置に関する。
詳細には、電動介護ベッドに脱着可能に設置できる介助ポール装置を設置した電動介護ベッドに関する。
詳細には、電動介護ベッドに脱着可能に後付けで設置できる介助ポール装置を設置した電動介護ベッドに関する。
【背景技術】
【０００２】
従来技術としては、家庭内や病院にあって、ベッド廻りや、居室に設けられた、高齢者、病弱者等（「被介護者」ともいう。）が、介護者の手を極力借りずに、身体を移動したりする際に、あるいは、右半身や左半身不随の者が健康な側の手を使って立ち上がる際に、手掛かりとなるような介助用品が種々、商品化されている。
例えば、（１）ベッドの側面フレームの柵穴に取り付ける介助バー、（２）部屋の床と天井の間を突っ張って固定する介助ポールなどがある。
しかしながら、高齢者、病弱者等が、介護者の手を極力借りずに、身体を移動したりする際に、（１）ベッドの側面フレームの柵穴に取り付ける介助バーと（２）部屋の床と天井の間を突っ張って固定する介助ポールを同時に必要とすることになる。
上記場合には、（１）ベッドの側面フレームの柵穴に取り付ける介助バーの他に、（２）部屋の床と天井の間を突っ張って固定する介助ポールを設置するとなるが、床部側面近傍の床面と天井間に、軸方向に伸長するように付勢することで立設した支柱部は、強度や使い勝手に対する不安があるという欠点があった。
【０００３】
考案者は、従来技術の欠点等に鑑み、鋭意研究することによって本考案を完成するに至った。
【特許文献１】特開平１０−２３４７８９号公報
【０００４】
【考案の概要】
【考案が解決しようとする課題】
【０００５】
○本考案が解決しようとする第１課題
本考案が解決しようとする第１課題は、
被介護者が介護者なしでも一人で安全に立ち上がって座り直すために、介護ベッドの側面に後付けで取り付けられるようにしてなる電動介護ベッドＢＥＤに脱着可能に設置できる脱着式介助ポール装置２０を提供することである。
○本考案が解決しようとする第２課題
本考案が解決しようとする第２課題は、
被介護者が介護者なしでも一人で安全に立ち上がって座り直すために、介護ベッドの側面に後付けで取り付けられるようにし電動介護ベッドに脱着可能に設置できる、かつ、ある程度の力やモーメントが作用しても介助ポールは剛性を保持し電動介護ベッドに強固支持された電動介護ベッドＢＥＤに脱着可能に設置できる脱着式介助ポール装置２０を提供することである。
○本考案が解決しようとする第３課題
本考案が解決しようとする第３課題は、
被介護者が他人の支援を必要せずに自力で立ち上がることができるようになることにより、介護者一人の介護で立ったまま楽に安定した状態でおむつ交換が可能になるようにすべく、電動介護ベッドＢＥＤに脱着可能に設置できる脱着式介助ポール装置２０を提供することである。
脱着式介助ポール装置２０が無い場合は、介護者Ａの支援で立ち上がることができない、又は、かなり困難であるので、介護者Ｂの支援で立ったまま楽に安定した状態でおむつ交換が可能になる。すなわち、脱着式介助ポール装置２０が無い場合は、おむつ交換をするためには、従来は、介護者Ａと介護者Ｂの支援が必要となるのに対して、本考案が解決しようとする第３課題は、介護者Ｂ一人のみの支援だけでおむつ交換が可能になるように、電動介護ベッドＢＥＤに脱着可能に設置できる脱着式介助ポール装置２０を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
本発明の記載において、本発明及び本発明の構成要件について、ｘｙｚ座標系（左手座標系）が統一的に適用される。
ここに、ｘ方向は、図１において、正面から背面へ向かう方向であり、ｙ方向は、底面から平面へ向かう方向（反重力方向）であり、ｚ方向は、左側面から右側面へ向かう方向である。
＜用語の説明＞
○電動介護ベッドＢＥＤとは、電気を動力として「背あげ」、「膝あげ」、「高さ調整」の３つの機能を提供することができる介護用ベッドをいう。
ここに、介護とは、高齢者・病人などを介抱し世話をすることをいう。
電動介護ベッドＢＥＤとは、具体的には、脱着式手すり装置１０を有する電動介護ベッドをいう。
脱着式手すり装置１０とは、後述するように、手すり装置１０、脱着式手すり装置１０の用語の説明で定義されている。
なお、電動介護ベッドＢＥＤには、通常４個の移動用コマ付きの足がついているが、図面での図示は省略している。
本発明に係る電動介護ベッドＢＥＤ（請求項６に記載された考案）とは、脱着式手すり装置１０を有する電動介護ベッドＢＥＤに脱着可能に設置できる脱着式介助ポール装置２０を設置した電動介護ベッドＢＥＤをいう。
○脱着可能とは、設置したり（取り付けたり、装着したり）、撤去したり（取り外したり）することが可能であることをいう。
○脱着式とは、脱着可能な形式の意味合いを有する。
○介助ポール１９とは、介護を必要とする者が、ベッド横に立ち上がるために手で掴んで身体を支える介護用具の一つで垂直方向に支えられたポール（「掴まり棒」ともいう。）をいう。介助ポール１９は、内側介助ポールと外側介助ポールからなり、内側介助ポールを外側介助ポールに挿入する構造とし、介助ポール１９の下側（根元側）に外側介助ポールを挿入して組立可能とし、外側介助ポールを下側（根元）になるようにする。
ここに、ポールとは、細長い棒をいう。
○手すり装置１０とは、手すり部９を電動介護ベッドに設置するための装置をいう。
ここに、本発明に係る手すり装置１０とは、ボルトＢと連結する手すり部９とそれぞれのボルトＢに対応するボルト穴ＢＨを設けたベッド側板ＳＰとナットＮからなる装置をいう。
ここに、ベッド側板ＳＰの上面は水平面であり、ボルトＢと連結する手すり部９は、ボルト穴ＢＨを貫通したボルトＢとナットＮで締め付けることによってベッド側板ＢＳに取り付けられてなる。
■脱着式手すり装置１０とは、脱着可能な手すり装置をいう。
○介助ポール装置２０とは、介助ポール１９を電動介護ベッドＢＥＤに設置するための装置をいう。
ここに、本発明に係る介助ポール装置２０とは、介助ポール１９と固定板ＦＰからなる装置をいう。
ここに、介助ポール１９は固定板ＦＰに対して垂直方向に固定してなり、固定板ＦＰには、それぞれのボルト穴ＢＨに対応するボルト穴ＢＨが貫通してなる。
さらに、本発明に係る介助ポール装置２０とは、介助ポール１９と固定板ＦＰに加えて、介助ポール１９と連結する第１の補強梁ＢＲ１と第２の補強梁ＢＲ２からなる装置をいう。
■脱着式介助ポール装置２０とは、脱着可能な形式の介助ポール装置をいう。
○第１の補強梁ＢＲ１とは、介助ポール１９と電動介護ベッドＢＥＤのボード点Ｂ１を連結する梁をいう。
○第２の補強梁ＢＲ２とは、介助ポール１９と電動介護ベッドＢＥＤの第２のボード点Ｂ２を連結する梁をいう。
○補強梁（第１の補強梁ＢＲ１、第２の補強梁ＢＲ２）は、ある程度の力やモーメントが作用しても介助ポール１９は剛性を保持し電動介護ベッドＢＥＤに強固支持されるために、介助ポール１９と第１の補強梁ＢＲ１と第２の補強梁ＢＲ２がトラス構造をして剛性を高めた介助ポール補強部材である。
■手すり部１９とは、人がつかまるために、介護ベッドの縁に取り付ける横木や柵の部分をいう。
■ボルトＢとは、ナットＮと組み合わせて物を締めたり結合したりするのに用いる道具である。
本発明に係るボルトＢとナットＮにより、手すり部１９とベッド側版ＳＰとが結合されてなる。
脱着式手すり装置１０が電動介護ベッドＢＥＤに装着された状態において、手すり部１９とベッド側版ＳＰとが連結してなる。
■ナットＮとは、ボルトＢと組み合わせて締め付けに用いるものをいう。
多くは六角形で中心に穴をあけ雌ねじが切ってある。
○ボルト穴ＢＨとは、ボルトＢが、通過可能なベッド側板ＳＰの上面と下面を貫通する穴をいう。
あるいは、ボルト穴ＢＨとは、介助ポール装置２０の固定板ＦＰを貫通する穴を云う。
ベッド側板ＳＰに設けられた複数のボルト穴ＢＨそれぞれは、介助ポール装置２０の固定板ＦＰに設けられた複数のそれぞれのボルト穴ＢＨそれぞれに対応する。
ボルト穴ＢＨをベッド側板ＳＰに複数設けることによって、手すり装置１０を電動介護ベッドＢＥＤの頭側（ｘ方向）、足側（−ｘ方向）の位置（位置ｘ）にある程度任意に設定するようにできる。本願図面では、ボルト穴ＢＨの数が２の場合を例示しているが、ボルト穴ＢＨの数は、３以上にすることも可能である。
■ベッド側板ＳＰとは、電動介護ベッドＢＥＤの構成要素であって、電動介護ベッドＢＥＤの左側、又は／及び右側に設置された板をいう。
本発明に係るベッド側板ＳＰの上面は水平面であり、本発明に係るベッド側板ＳＰの上面と下面をボルト穴ＢＨが貫通するように設置されてなる。
ボルトＢと連結する手すり部９を、ベッド側板ＳＰに設置されたボルト穴ＢＨを貫通したボルトＢとナットＮで締め付けることにより、手すり装置２０を電動介護ベッドＢＥＤに固定させる。
■ボードＢＢとは、電動介護ベッドＢＥＤの構成要素であって、ベッドの頭を置く側についている飾り板をいう。
＜「手すり部９はボルトＢと連結する」の説明＞
手すり部９はボルトＢと連結するとは、手すり装置１０と介助ポール装置２０がベッド側板ＳＰに取り付けられてなるために、手すり部９とボルトＢとがつなぎ合わされることをいう。
●第１態様
手すり部９はボルトＢと連結する第１態様は、手すり部９がボルトＢが一体結合してなる態様をいう。手すり部９がボルト頭がないボルトＢの一方に直接結合してなるか（図２の中央図、図３（Ａ）、（Ｂ））、又は、ボルト頭付きボルトＢのボルト頭に直接結合してなるか等が例示される。
●第２態様
手すり部９はボルトＢと連結する第２態様は、手すり部９が、手すり板９Ｐと凹部９Ｈを形成する円柱壁部９Ｔとボルト穴Ｈが空けてなる円柱底部９ＴＢからなり、ボルト頭付きボルトＢを、円柱底部９ＴＢのボルト穴ＢＨからボルトを挿入して、手すり部９とボルトＢとをつなぎ合わせた後に、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなる態様をいう。
すなわち、手すり部９はボルトＢと連結する第２態様は、手すり部が、手すり板９Ｐと凹部９Ｈを形成する円柱壁部９Ｔと円柱底部９ＴＢからなり、ボルト頭付きボルトＢを、円柱底部９ＴＢのボルト穴ＢＨからボルトを挿入して、手すり部９とボルトＢ（ボルト頭）とを緩く連結させた後に、手すり部９とベッド側板ＳＰの上面の間に、介助ポール１９を固定した固定板ＦＰを挟持して、それぞれのボルト穴ＢＨを貫通したボルトＢとナットＮで締め付けることによって、手すり部９とボルトＢとを強固に連結する態様をいう。
ここに、手すり部９とボルトＢとを緩く連結させるとは、ボルト頭が手すり部９に当接しない場合、ボルト長手方向には拘束されず自由に動くが、ボルト頭が手すり部９に当接した場合、ボルト長手方向（引張方向）には拘束されて自由に動けない状態をいう。
＜右側タイプ脱着式介助ポール装置２０と左側タイプ脱着式介助ポール装置２０について＞
ここに、右側タイプ脱着式介助ポール装置２０とは、ベッド右側（ｘ方向に向かって右側）に設置するタイプの脱着式介助ポール装置２０をいい、左側タイプ脱着式介助ポール装置２０とは、ベッド左側（ｘ方向に向かって左側）に設置するタイプの脱着式介助ポール装置２０をいう。右側タイプ脱着式介助ポール装置２０と左側タイプ脱着式介助ポール装置２０の平面図は、左右対称に表れる。
請求項１〜６の何れかに記載された本発明は、右側タイプ脱着式介助ポール装置２０、又は、左側タイプ脱着式介助ポール装置２０の何れかを表している。
すなわち、請求項１〜６において、
（１）脱着式介助ポール装置２０が、右側タイプ脱着式介助ポール装置２０を表している場合、
請求項１〜６に記載された各構成要件は、右側タイプ構成要件を表している。
（２）脱着式介助ポール装置２０が、左側タイプ脱着式介助ポール装置２０を表している場合、
請求項１〜６に記載された各構成要件は、左側タイプ構成要件を表している。
ここに、右側タイプ構成要件とは、ベッド右側（ｘ方向に向かって右側）に設置するタイプの構成要件をいい、左側タイプ構成要件とは、ベッド左側（ｘ方向に向かって左側）に設置するタイプの構成要件をいう。
各構成要件とは、脱着式手すり装置１０、脱着式介助ポール装置２０、ボルト穴ＢＨ、ベッド側板ＳＰ、手すり部９、介助ポール１９、固定板ＦＰ、補強梁ＢＲ１、補強梁ＢＲ２、第２の介助ポール２９等をいう。
＜脱着式介助ポール装置２０が、介助ポール１９と固定板ＦＰに加えて、第２の介助ポール２９とからなる場合＞
脱着式介助ポール装置２０が、介助ポール１９と固定板ＦＰに加えて、第２の介助ポール２９とからなる場合、右側タイプ脱着式介助ポール装置２０を１８０°回転すれば、左側タイプ脱着式介助ポール装置２０になるので、脱着式介助ポール装置２０は、右側タイプ、左側タイプの区別をしなくて１タイプ製造すればよいので製造容易であり、製造コスト削減に繋がる。
＜記号の説明＞
Ｂ１：電動介護ベッドＢＥＤのボード点Ｂ１をいい、第１の補強梁ＢＲ１が連結する、電動介護ベッドＢＥＤのボードＢＢ側の連結点を表す。
Ｂ２：電動介護ベッドＢＥＤのボード点Ｂ２をいい、第２の補強梁ＢＲ２が連結する、電動介護ベッドＢＥＤのボードＢＢ側の連結点を表す。あるいは、介助ポール１９との点Ｂ２をいい、第２の補強梁ＢＲ２が連結する、介助ポール１９と側の連結点を表す。
＜図２の補足説明＞
図面２では、ボルト穴ＢＨの数が２の場合を例示しているが、ボルト穴ＢＨの数は、３以上にすることも可能である。
図面２では、ボルトＢと手すり部９が一体の場合を第１態様として例示しているが、一体でない場合を第２態様として図９に例示している。
＜図５の補足説明＞
図面５では、水平梁３９に、点滴装置を吊るすことができる。
図面５では、第２の介助ポール２９は、点滴装置などを水平梁３９に吊るすために、水平梁９３９を支えるために必要である。
第２の補強梁ＢＲ２が第２の介助ポール２９と連結するのではなく、電動介護ベッドＢＥＤのボードＢＢと連結するのが望ましい。
何故ならば、介助ポール２９の構造体の強度が、後者の方が優れているからである。
＜図６の補足説明＞
図面６では、水平梁３９が設置されていない。水平梁３９が設置されていない場合には、第２の介助ポール２９は、必要ではない。
しかしながら、水平梁３９に点滴装置を吊るす場合には、第２の介助ポール２９は、水平梁３９を支えるために必要である。
第２の補強梁ＢＲ２が第２の介助ポール２９と連結するのではなく、電動介護ベッドＢＥＤのボードＢＢと連結するのが望ましい。
何故ならば、介助ポール２９の構造体の強度が、後者の方が優れているからである。
＜図７の補足説明＞
図面７では、第２の介助ポール２９が介助ポール１９と同じ高さのポールとして表示されているが、第２の介助ポール２９の高さは、介助ポール１９の高さより低くするのがよい。
そして、介助ポール１９と第２の介助ポール２９が、それぞれ内側介助ポールと外側介助ポールからなり、内側介助ポールを外側介助ポールに挿入する構造とすることが可能である。
介助ポール１９においては、外側介助ポール（介助ポール１９の下側（根元側）部分）を固定板ＦＰに固定し、内側介助ポールを外側介助ポールに挿入して組立可能とする。
第２の介助ポール２９においては、外側介助ポール（介助ポール２９の下側（根元側）部分）を固定板ＦＰに固定するものの、内側介助ポールは、外側介助ポールに挿入しなくてもよい。
＜図８の補足説明＞
図面８において、介助ポール１９と、第２の介助ポール２９が、内側介助ポールと外側介助ポールからなり、内側介助ポールを外側介助ポールに挿入する構造とし、介助ポール１９の下側（根元側）に外側介助ポールを挿入して組立可能とし、外側介助ポールを下側（根元）になるようにする場合、介助ポール１９と、第２の介助ポール２９のポールの外側介助ポール（下側（根元））のみが、固定板ＦＰに対して垂直方向に固定してなる。
そして、介助ポール１９の内側介助ポールが、介助ポール１９のポールの外側介助ポール（下側（根元））内に挿入してなる。
第２の介助ポール２９のポールの外側介助ポール（下側（根元））は、固定板ＦＰに対して垂直方向に固定してなるが、介助ポール１９の内側介助ポールが、介助ポール１９のポールの外側介助ポール（下側（根元））内に挿入してない。
しかしながら、水平梁３９に点滴装置を吊るす場合には、第２の介助ポール２９は、水平梁３９を支えるために、介助ポール２９の内側介助ポールが、介助ポール２９のポールの外側介助ポール（下側（根元））内に挿入されてなる。
課題を解決するための手段は、本願の実用新案登録請求の範囲の各請求項に記載の考案であり、その具体的な解決手段は、以下の通りである。
○第１の考案（請求項１に記載の考案）  
上記の課題を解決するための第１の考案（請求項１に記載の考案）は、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることを特徴とする電動介護ベッドＢＥＤに脱着可能に設置できる脱着式介助ポール装置２０である。
○第２の考案（請求項２に記載の考案）  
上記の課題を解決するための第２の考案（請求項２に記載の考案）は、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することを特徴とする請求項１に記載された電動介護ベッドＢＥＤに脱着可能に設置できる脱着式介助ポール装置２０である。
○第３の考案（請求項３に記載の考案）
上記の課題を解決するための第３の考案（請求項３に記載の考案）は、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することを特徴とする請求項１〜２の何れかに記載された電動介護ベッドＢＥＤに脱着可能に設置できる脱着式介助ポール装置２０である。
○第４の考案（請求項４に記載の考案）
上記の課題を解決するための第４の考案（請求項４に記載の考案）は、
介助ポール１９と第２の介助ポール２９の上端同士が水平梁３９で連結されていることを特徴とする請求項１〜３の何れかに記載された電動介護ベッドＢＥＤに脱着可能に設置できる脱着式介助ポール装置２０である。
○第５の考案（請求項５に記載の考案）
上記の課題を解決するための第５の考案（請求項５に記載の考案）は、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることを特徴とする請求項１〜４の何れかに記載された電動介護ベッドＢＥＤに脱着可能に設置できる脱着式介助ポール装置２０である。
○第６の考案（請求項６に記載の考案）
上記の課題を解決するための第６の考案（請求項６に記載の考案）は、
上記請求項１〜５の何れかに記載された電動介護ベッドＢＥＤに脱着可能に設置できる脱着式介助ポール装置２０を設置した電動介護ベッドＢＥＤである。
【考案の効果】
【０００７】
本考案に係る、電動介護ベッドＢＥＤに脱着可能に設置できる脱着式介助ポール装置２０は、上記のような特徴的構成要件から構成され、特徴的構成要件に応じた、以下のような本願考案特有の効果を奏する。
また、上記の各考案に応じた、上記のような特徴的構成要件から構成された電動介護ベッドＢＥＤに脱着可能に設置できる脱着式介助ポール装置２０によれば、本願考案の課題を十分解消することができた。
○第１の考案の効果
第１の考案によれば、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
○第２の考案の効果
第２の考案によれば、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することという特徴的な構成要件により、本考案が解決しようとする第１課題〜第３課題を達成することができ、当業者予測不可能な顕著な効果を奏することができた。
○第３の考案の効果
第３の考案によれば、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することという特徴的な構成要件により、本考案が解決しようとする第１課題〜第３課題を達成することができ、当業者予測不可能な顕著な効果を奏することができた。
○第４の考案の効果
第４の考案によれば、
介助ポール１９と第２の介助ポール２９の上端同士が水平梁３９で連結されていることという特徴的な構成要件により、本考案が解決しようとする第１課題〜第３課題を達成することができ、当業者予測不可能な顕著な効果を奏することができた。
○第５の考案の効果
第５の考案によれば、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
○第６の考案の効果
第６の考案によれば、
上記請求項１〜５の何れかに記載された電動介護ベッドＢＥＤに脱着可能に設置できる脱着式介助ポール装置２０を設置した電動介護ベッドＢＥＤという特徴的な構成要件により、本考案が解決しようとする第１課題〜第３課題を達成することができ、当業者予測不可能な顕著な効果を奏することができた。
【考案を実施するための最良の形態】
【０００８】
以下、本考案に係る、電動介護ベッドＢＥＤに脱着可能に設置できる脱着式介助ポール装置２０に関する最良の実施形態について、図面を参照しながら説明する。
［図１］図１は、脱着式手すり装置１０を有する電動介護ベッドＢＥＤに脱着可能に設置できる脱着式介助ポール装置２０を設置した電動介護ベッドＢＥＤを表した斜視図である。
［図２］図２は、脱着式手すり装置１０を脱着可能に設置できる電動介護ベッドＢＥＤ、脱着式手すり装置１０、脱着式介助ポール装置２０をそれぞれ分解表示した斜視図である。図２の左図は、脱着式手すり装置１０を脱着可能に設置できる電動介護ベッドＢＥＤの斜視図である。図２の中図は、脱着式手すり装置１０の斜視図である。図２の右図は、脱着式介助ポール装置２０の斜視図である。
［図３］図３（Ａ）図は、電動介護ベッドＢＥＤのベッド側板ＳＰに、脱着式手すり装置１０と脱着式介助ポール装置２０を設置（装着。）した状態を表した正面断面図を表す。図３（Ｂ）図は、図３（Ａ）図におけるＡ−Ａ断面矢視図である。
［図４］図４（Ａ）図は、図３（Ａ）図の拡大した正面断面図である。図４（Ｂ）図は、固定板ＦＰの平面図である。図４（Ｃ）図は、ベッド側板ＳＰの平面図である。
［図５］図５は、脱着式手すり装置１０を有する電動介護ベッドＢＥＤに脱着可能に設置できる脱着式介助ポール装置２０を設置した電動介護ベッドＢＥＤを表した斜視図（図１とは別の実施態様の考案を表した斜視図）である。
以下、本考案に係る、電動介護ベッドＢＥＤに脱着可能に設置できる脱着式介助ポール装置２０について、図面を参照しながら説明する。
［図６］図６は、脱着式手すり装置１０を有する電動介護ベッドＢＥＤに脱着可能に設置できる右側タイプの脱着式介助ポール装置２０を設置した電動介護ベッドＢＥＤを表した斜視図（図１とは別の実施態様の考案を表した斜視図）である。
［図７］図７は、脱着式手すり装置１０を有する電動介護ベッドＢＥＤに脱着可能に設置できる左側タイプの脱着式介助ポール装置２０を設置した電動介護ベッドＢＥＤを表した斜視図（図１とは別の実施態様の考案を表した斜視図）である。
［図８］図８は、脱着式手すり装置１０を表す斜視図である。図８（Ａ）図は、左側タイプの脱着式手すり装置１０を表す斜視図である。図８（Ｂ）図は、介助ポール１９、介助ポール２９を有する右側タイプの脱着式手すり装置１０を表す斜視図である。図８（Ｃ）図は、介助ポール１９、介助ポール２９を有する左側タイプの脱着式手すり装置１０を表す斜視図である。ここに、介助ポール１９、介助ポール２９が同一であれば、図８（Ｂ）図に表された介助ポール１９、介助ポール２９を有する右側タイプの脱着式手すり装置１０は、１８０°回転させれば、図８（Ｃ）図に表された介助ポール１９、介助ポール２９を有する左側タイプの脱着式手すり装置１０と同一（合同）である。
［図９］図９は、「手すり部９はボルトＢと連結する」の第２態様を表す図面である。図９の上図は、「手すり部９はボルトＢと連結する」の第２態様を表す平面図である。図９の下図は、「手すり部９はボルトＢと連結する」の第２態様を表す切断部端面図である。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることを特徴とする電動介護ベッドＢＥＤに脱着可能に設置できる脱着式介助ポール装置２０が開示されている。
○第１の考案の効果
第１の考案によれば、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することを特徴とする請求項１に記載された電動介護ベッドＢＥＤに脱着可能に設置できる脱着式介助ポール装置２０が開示されている。
○第２の考案の効果
第２の考案によれば、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することという特徴的な構成要件により、本考案が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することを特徴とする請求項１〜２の何れかに記載された電動介護ベッドＢＥＤに脱着可能に設置できる脱着式介助ポール装置２０が開示されている。
○第３の考案の効果
第３の考案によれば、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することという特徴的な構成要件により、本考案が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
介助ポール１９と第２の介助ポール２９の上端同士が水平梁３９で連結されていることを特徴とする請求項１〜３の何れかに記載された電動介護ベッドＢＥＤに脱着可能に設置できる脱着式介助ポール装置２０が開示されている。
○第４の考案の効果
第４の考案によれば、
介助ポール１９と第２の介助ポール２９の上端同士が水平梁３９で連結されていることという特徴的な構成要件により、本考案が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることを特徴とする請求項１〜４の何れかに記載された電動介護ベッドＢＥＤに脱着可能に設置できる脱着式介助ポール装置２０が開示されている。
○第５の考案の効果
第５の考案によれば、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
上記請求項１〜５の何れかに記載された電動介護ベッドＢＥＤに脱着可能に設置できる脱着式介助ポール装置２０を設置した電動介護ベッドＢＥＤが開示されている。
○第６の考案の効果
第６の考案によれば、
上記請求項１〜５の何れかに記載された電動介護ベッドＢＥＤに脱着可能に設置できる脱着式介助ポール装置２０を設置した電動介護ベッドＢＥＤという特徴的な構成要件により、本考案が解決しようとする第１課題〜第３課題を達成することができ、当業者予測不可能な顕著な効果を奏することができた。
【図面の簡単な説明】
【０００９】
【図１】図１は、脱着式手すり装置１０を有する電動介護ベッドＢＥＤに脱着可能に設置できる脱着式介助ポール装置２０を設置した電動介護ベッドＢＥＤを表した斜視図である。
【図２】図２は、脱着式手すり装置１０を脱着可能に設置できる電動介護ベッドＢＥＤ、脱着式手すり装置１０、脱着式介助ポール装置２０をそれぞれ分解表示した斜視図である。図２の左図は、脱着式手すり装置１０を脱着可能に設置できる電動介護ベッドＢＥＤの斜視図である。図２の中図は、脱着式手すり装置１０の斜視図である。図２の右図は、脱着式介助ポール装置２０の斜視図である。
【図３】図３（Ａ）図は、電動介護ベッドＢＥＤのベッド側板ＳＰに、脱着式手すり装置１０と脱着式介助ポール装置２０を設置（装着。）した状態を表した正面断面図を表す。図３（Ｂ）図は、図３（Ａ）図におけるＡ−Ａ断面矢視図である。
【図４】図４（Ａ）図は、図３（Ａ）図の拡大した正面断面図である。図４（Ｂ）図は、固定板ＦＰの平面図である。図４（Ｃ）図は、ベッド側板ＳＰの平面図である。
【図５】図５は、脱着式手すり装置１０を有する電動介護ベッドＢＥＤに脱着可能に設置できる脱着式介助ポール装置２０を設置した電動介護ベッドＢＥＤを表した斜視図（図１とは別の実施態様の考案を表した斜視図）である。
【図６】図６は、脱着式手すり装置１０を有する電動介護ベッドＢＥＤに脱着可能に設置できる右側タイプの脱着式介助ポール装置２０を設置した電動介護ベッドＢＥＤを表した斜視図（図１とは別の実施態様の考案を表した斜視図）である。
【図７】図７は、脱着式手すり装置１０を有する電動介護ベッドＢＥＤに脱着可能に設置できる左側タイプの脱着式介助ポール装置２０を設置した電動介護ベッドＢＥＤを表した斜視図（図１とは別の実施態様の考案を表した斜視図）である。
【図８】図８は、脱着式手すり装置１０を表す斜視図である。図８（Ａ）図は、左側タイプの脱着式手すり装置１０を表す斜視図である。図８（Ｂ）図は、介助ポール１９、介助ポール２９を有する右側タイプの脱着式手すり装置１０を表す斜視図である。図８（Ｃ）図は、介助ポール１９、介助ポール２９を有する左側タイプの脱着式手すり装置１０を表す斜視図である。ここに、介助ポール１９、介助ポール２９が同一であれば、図８（Ｂ）図に表された介助ポール１９、介助ポール２９を有する右側タイプの脱着式手すり装置１０は、１８０°回転させれば、図８（Ｃ）図に表された介助ポール１９、介助ポール２９を有する左側タイプの脱着式手すり装置１０と同一（合同）である。
【図９】図９は、「手すり部９はボルトＢと連結する」の第２態様を表す図面である。図９の上図は、「手すり部９はボルトＢと連結する」の第２態様を表す平面図である。図９の下図は、「手すり部９はボルトＢと連結する」の第２態様を表す切断部端面図である。
【符号の説明】
【００１０】
ＢＥＤ……電動介護ベッド
ＳＰ……ベッド側板
ＢＨ……ボルト穴
１０……手すり装置
９……手すり部
Ｂ……ボルト
Ｎ……ナット
２０……介助ポール装置
１９……介助ポール
２９……介助ポール（第２の介助ポール）
３９……水平梁
ＦＰ……固定板
ＢＨ……ボルト穴
ＢＲ１……第１の補強梁
ＢＲ２……第２の補強梁
Ｂ１……電動介護ベッドＢＥＤのボード点Ｂ１
Ｂ２……電動介護ベッドＢＥＤのボード点Ｂ２
【図１】
0003219548.tif 000003
【図２】
0003219548.tif 000004
【図３】
0003219548.tif 000005
【図４】
0003219548.tif 000006
【図５】
0003219548.tif 000007
【図６】
0003219548.tif 000008
【図７】
0003219548.tif 000009
【図８】
0003219548.tif 000010
【図９】
0003219548.tif 000011
【手続補正書】
【提出日】平成30年11月5日(2018.11.5)
【手続補正１】
【補正対象書類名】実用新案登録請求の範囲
【補正対象項目名】全文
【補正方法】変更
【補正の内容】
【実用新案登録請求の範囲】
【請求項１】
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢをナットＮで締め付けることによって手すり装置１０と介助ポール装置２０がベッド側板ＳＰに取り付けられてなることを特徴とする電動介護ベッドＢＥＤに脱着可能に設置できる脱着式介助ポール装置２０。
【請求項２】
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することを特徴とする請求項１に記載された電動介護ベッドＢＥＤに脱着可能に設置できる脱着式介助ポール装置２０。
【請求項３】
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することを特徴とする請求項２に記載された電動介護ベッドＢＥＤに脱着可能に設置できる脱着式介助ポール装置２０。
【請求項４】
介助ポール１９と第２の介助ポール２９の上端同士が水平梁３９で連結されていることを特徴とする請求項３に記載された電動介護ベッドＢＥＤに脱着可能に設置できる脱着式介助ポール装置２０。
【請求項５】
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることを特徴とする請求項１〜４の何れかに記載された電動介護ベッドＢＥＤに脱着可能に設置できる脱着式介助ポール装置２０。
【請求項６】
上記請求項１〜５の何れかに記載された電動介護ベッドＢＥＤに脱着可能に設置できる脱着式介助ポール装置２０を設置した電動介護ベッドＢＥＤ。
【手続補正２】
【補正対象書類名】明細書
【補正対象項目名】全文
【補正方法】変更
【補正の内容】
【考案の詳細な説明】
【技術分野】
【０００１】
本考案は、電動介護ベッドに脱着可能に後付けで設置できる脱着式介助ポール装置に関する。
詳細には、電動介護ベッドに脱着可能に後付けで設置できる介助ポール装置に関する。
詳細には、電動介護ベッドに脱着可能に設置できる介助ポール装置を設置した電動介護ベッドに関する。
詳細には、電動介護ベッドに脱着可能に後付けで設置できる介助ポール装置を設置した電動介護ベッドに関する。
【背景技術】
【０００２】
従来技術としては、家庭内や病院にあって、ベッド廻りや、居室に設けられた、高齢者、病弱者等（「被介護者」ともいう。）が、介護者の手を極力借りずに、身体を移動したりする際に、あるいは、右半身や左半身不随の者が健康な側の手を使って立ち上がる際に、手掛かりとなるような介助用品が種々、商品化されている。
例えば、（１）ベッドの側面フレームの柵穴に取り付ける介助バー、（２）部屋の床と天井の間を突っ張って固定する介助ポールなどがある。
しかしながら、高齢者、病弱者等が、介護者の手を極力借りずに、身体を移動したりする際に、（１）ベッドの側面フレームの柵穴に取り付ける介助バーと（２）部屋の床と天井の間を突っ張って固定する介助ポールを同時に必要とすることになる。
上記場合には、（１）ベッドの側面フレームの柵穴に取り付ける介助バーの他に、（２）部屋の床と天井の間を突っ張って固定する介助ポールを設置するとなるが、床部側面近傍の床面と天井間に、軸方向に伸長するように付勢することで立設した支柱部は、強度や使い勝手に対する不安があるという欠点があった。
【０００３】
考案者は、従来技術の欠点等に鑑み、鋭意研究することによって本考案を完成するに至った。
【特許文献１】特開平１０−２３４７８９号公報
【０００４】
【考案の概要】
【考案が解決しようとする課題】
【０００５】
○本考案が解決しようとする第１課題
本考案が解決しようとする第１課題は、
被介護者が介護者なしでも一人で安全に立ち上がって座り直すために、介護ベッドの側面に後付けで取り付けられるようにしてなる電動介護ベッドＢＥＤに脱着可能に設置できる脱着式介助ポール装置２０を提供することである。
○本考案が解決しようとする第２課題
本考案が解決しようとする第２課題は、
被介護者が介護者なしでも一人で安全に立ち上がって座り直すために、介護ベッドの側面に後付けで取り付けられるようにし電動介護ベッドに脱着可能に設置できる、かつ、ある程度の力やモーメントが作用しても介助ポールは剛性を保持し電動介護ベッドに強固支持された電動介護ベッドＢＥＤに脱着可能に設置できる脱着式介助ポール装置２０を提供することである。
○本考案が解決しようとする第３課題
本考案が解決しようとする第３課題は、
被介護者が他人の支援を必要せずに自力で立ち上がることができるようになることにより、介護者一人の介護で立ったまま楽に安定した状態でおむつ交換が可能になるようにすべく、電動介護ベッドＢＥＤに脱着可能に設置できる脱着式介助ポール装置２０を提供することである。
脱着式介助ポール装置２０が無い場合は、介護者Ａの支援で立ち上がることができない、又は、かなり困難であるので、介護者Ｂの支援で立ったまま楽に安定した状態でおむつ交換が可能になる。すなわち、脱着式介助ポール装置２０が無い場合は、おむつ交換をするためには、従来は、介護者Ａと介護者Ｂの支援が必要となるのに対して、本考案が解決しようとする第３課題は、介護者Ｂ一人のみの支援だけでおむつ交換が可能になるように、電動介護ベッドＢＥＤに脱着可能に設置できる脱着式介助ポール装置２０を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
本発明の記載において、本発明及び本発明の構成要件について、ｘｙｚ座標系（左手座標系）が統一的に適用される。
ここに、ｘ方向は、図１において、正面から背面へ向かう方向であり、ｙ方向は、底面から平面へ向かう方向（反重力方向）であり、ｚ方向は、左側面から右側面へ向かう方向である。
＜用語の説明＞
○電動介護ベッドＢＥＤとは、電気を動力として「背あげ」、「膝あげ」、「高さ調整」の３つの機能を提供することができる介護用ベッドをいう。
ここに、介護とは、高齢者・病人などを介抱し世話をすることをいう。
電動介護ベッドＢＥＤとは、具体的には、脱着式手すり装置１０を有する電動介護ベッドをいう。
脱着式手すり装置１０とは、後述するように、手すり装置１０、脱着式手すり装置１０の用語の説明で定義されている。
なお、電動介護ベッドＢＥＤには、通常４個の移動用コマ付きの足がついているが、図面での図示は省略している。
本発明に係る電動介護ベッドＢＥＤ（請求項６に記載された考案）とは、脱着式手すり装置１０を有する電動介護ベッドＢＥＤに脱着可能に設置できる脱着式介助ポール装置２０を設置した電動介護ベッドＢＥＤをいう。
○脱着可能とは、設置したり（取り付けたり、装着したり）、撤去したり（取り外したり）することが可能であることをいう。
○脱着式とは、脱着可能な形式の意味合いを有する。
○介助ポール１９とは、介護を必要とする者が、ベッド横に立ち上がるために手で掴んで身体を支える介護用具の一つで垂直方向に支えられたポール（「掴まり棒」ともいう。）をいう。介助ポール１９は、内側介助ポールと外側介助ポールからなり、内側介助ポールを外側介助ポールに挿入する構造とし、介助ポール１９の下側（根元側）に外側介助ポールを挿入して組立可能とし、外側介助ポールを下側（根元）になるようにする。
ここに、ポールとは、細長い棒をいう。
○手すり装置１０とは、手すり部９を電動介護ベッドに設置するための装置をいう。
ここに、本発明に係る手すり装置１０とは、ボルトＢと連結する手すり部９とそれぞれのボルトＢに対応するボルト穴ＢＨを設けたベッド側板ＳＰとナットＮからなる装置をいう。
ここに、ベッド側板ＳＰの上面は水平面であり、ボルトＢと連結する手すり部９は、ボルト穴ＢＨを貫通したボルトＢとナットＮで締め付けることによってベッド側板ＢＳに取り付けられてなる。
■脱着式手すり装置１０とは、脱着可能な手すり装置をいう。
○介助ポール装置２０とは、介助ポール１９を電動介護ベッドＢＥＤに設置するための装置をいう。
ここに、本発明に係る介助ポール装置２０とは、介助ポール１９と固定板ＦＰからなる装置をいう。
ここに、介助ポール１９は固定板ＦＰに対して垂直方向に固定してなり、固定板ＦＰには、それぞれのボルト穴ＢＨに対応するボルト穴ＢＨが貫通してなる。
さらに、本発明に係る介助ポール装置２０とは、介助ポール１９と固定板ＦＰに加えて、介助ポール１９と連結する第１の補強梁ＢＲ１と第２の補強梁ＢＲ２からなる装置をいう。
■脱着式介助ポール装置２０とは、脱着可能な形式の介助ポール装置をいう。
○第１の補強梁ＢＲ１とは、介助ポール１９と電動介護ベッドＢＥＤのボード点Ｂ１を連結する梁をいう。
○第２の補強梁ＢＲ２とは、介助ポール１９と電動介護ベッドＢＥＤの第２のボード点Ｂ２を連結する梁をいう。
○補強梁（第１の補強梁ＢＲ１、第２の補強梁ＢＲ２）は、ある程度の力やモーメントが作用しても介助ポール１９は剛性を保持し電動介護ベッドＢＥＤに強固支持されるために、介助ポール１９と第１の補強梁ＢＲ１と第２の補強梁ＢＲ２がトラス構造をして剛性を高めた介助ポール補強部材である。
■手すり部１９とは、人がつかまるために、介護ベッドの縁に取り付ける横木や柵の部分をいう。
■ボルトＢとは、ナットＮと組み合わせて物を締めたり結合したりするのに用いる道具である。
本発明に係るボルトＢとナットＮにより、手すり部１９とベッド側版ＳＰとが結合されてなる。
脱着式手すり装置１０が電動介護ベッドＢＥＤに装着された状態において、手すり部１９とベッド側版ＳＰとが連結してなる。
■ナットＮとは、ボルトＢと組み合わせて締め付けに用いるものをいう。
多くは六角形で中心に穴をあけ雌ねじが切ってある。
○ボルト穴ＢＨとは、ボルトＢが、通過可能なベッド側板ＳＰの上面と下面を貫通する穴をいう。
あるいは、ボルト穴ＢＨとは、介助ポール装置２０の固定板ＦＰを貫通する穴を云う。
ベッド側板ＳＰに設けられた複数のボルト穴ＢＨそれぞれは、介助ポール装置２０の固定板ＦＰに設けられた複数のそれぞれのボルト穴ＢＨそれぞれに対応する。
ボルト穴ＢＨをベッド側板ＳＰに複数設けることによって、手すり装置１０を電動介護ベッドＢＥＤの頭側（ｘ方向）、足側（−ｘ方向）の位置（位置ｘ）にある程度任意に設定するようにできる。本願図面では、ボルト穴ＢＨの数が２の場合を例示しているが、ボルト穴ＢＨの数は、３以上にすることも可能である。
■ベッド側板ＳＰとは、電動介護ベッドＢＥＤの構成要素であって、電動介護ベッドＢＥＤの左側、又は／及び右側に設置された板をいう。
本発明に係るベッド側板ＳＰの上面は水平面であり、本発明に係るベッド側板ＳＰの上面と下面をボルト穴ＢＨが貫通するように設置されてなる。
ボルトＢと連結する手すり部９を、ベッド側板ＳＰに設置されたボルト穴ＢＨを貫通したボルトＢとナットＮで締め付けることにより、手すり装置２０を電動介護ベッドＢＥＤに固定させる。
■ボードＢＢとは、電動介護ベッドＢＥＤの構成要素であって、ベッドの頭を置く側についている飾り板をいう。
＜「手すり部９はボルトＢと連結する」の説明＞
手すり部９はボルトＢと連結するとは、手すり装置１０と介助ポール装置２０がベッド側板ＳＰに取り付けられてなるために、手すり部９とボルトＢとがつなぎ合わされることをいう。
●第１態様
手すり部９はボルトＢと連結する第１態様は、手すり部９がボルトＢが一体結合してなる態様をいう。手すり部９がボルト頭がないボルトＢの一方に直接結合してなるか（図２の中央図、図３（Ａ）、（Ｂ））、又は、ボルト頭付きボルトＢのボルト頭に直接結合してなるか等が例示される。
●第２態様
手すり部９はボルトＢと連結する第２態様は、手すり部９が、手すり板９Ｐと凹部９Ｈを形成する円柱壁部９Ｔとボルト穴Ｈが空けてなる円柱底部９ＴＢからなり、ボルト頭付きボルトＢを、円柱底部９ＴＢのボルト穴ＢＨからボルトを挿入して、手すり部９とボルトＢとをつなぎ合わせた後に、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなる態様をいう。
すなわち、手すり部９はボルトＢと連結する第２態様は、手すり部が、手すり板９Ｐと凹部９Ｈを形成する円柱壁部９Ｔと円柱底部９ＴＢからなり、ボルト頭付きボルトＢを、円柱底部９ＴＢのボルト穴ＢＨからボルトを挿入して、手すり部９とボルトＢ（ボルト頭）とを緩く連結させた後に、手すり部９とベッド側板ＳＰの上面の間に、介助ポール１９を固定した固定板ＦＰを挟持して、それぞれのボルト穴ＢＨを貫通したボルトＢとナットＮで締め付けることによって、手すり部９とボルトＢとを強固に連結する態様をいう。
ここに、手すり部９とボルトＢとを緩く連結させるとは、ボルト頭が手すり部９に当接しない場合、ボルト長手方向には拘束されず自由に動くが、ボルト頭が手すり部９に当接した場合、ボルト長手方向（引張方向）には拘束されて自由に動けない状態をいう。
＜右側タイプ脱着式介助ポール装置２０と左側タイプ脱着式介助ポール装置２０について＞
ここに、右側タイプ脱着式介助ポール装置２０とは、ベッド右側（ｘ方向に向かって右側）に設置するタイプの脱着式介助ポール装置２０をいい、左側タイプ脱着式介助ポール装置２０とは、ベッド左側（ｘ方向に向かって左側）に設置するタイプの脱着式介助ポール装置２０をいう。右側タイプ脱着式介助ポール装置２０と左側タイプ脱着式介助ポール装置２０の平面図は、左右対称に表れる。
請求項１〜６の何れかに記載された本発明は、右側タイプ脱着式介助ポール装置２０、又は、左側タイプ脱着式介助ポール装置２０の何れかを表している。
すなわち、請求項１〜６において、
（１）脱着式介助ポール装置２０が、右側タイプ脱着式介助ポール装置２０を表している場合、
請求項１〜６に記載された各構成要件は、右側タイプ構成要件を表している。
（２）脱着式介助ポール装置２０が、左側タイプ脱着式介助ポール装置２０を表している場合、
請求項１〜６に記載された各構成要件は、左側タイプ構成要件を表している。
ここに、右側タイプ構成要件とは、ベッド右側（ｘ方向に向かって右側）に設置するタイプの構成要件をいい、左側タイプ構成要件とは、ベッド左側（ｘ方向に向かって左側）に設置するタイプの構成要件をいう。
各構成要件とは、脱着式手すり装置１０、脱着式介助ポール装置２０、ボルト穴ＢＨ、ベッド側板ＳＰ、手すり部９、介助ポール１９、固定板ＦＰ、補強梁ＢＲ１、補強梁ＢＲ２、第２の介助ポール２９等をいう。
＜脱着式介助ポール装置２０が、介助ポール１９と固定板ＦＰに加えて、第２の介助ポール２９とからなる場合＞
脱着式介助ポール装置２０が、介助ポール１９と固定板ＦＰに加えて、第２の介助ポール２９とからなる場合、右側タイプ脱着式介助ポール装置２０を１８０°回転すれば、左側タイプ脱着式介助ポール装置２０になるので、脱着式介助ポール装置２０は、右側タイプ、左側タイプの区別をしなくて１タイプ製造すればよいので製造容易であり、製造コスト削減に繋がる。
＜記号の説明＞
Ｂ１：電動介護ベッドＢＥＤのボード点Ｂ１をいい、第１の補強梁ＢＲ１が連結する、電動介護ベッドＢＥＤのボードＢＢ側の連結点を表す。
Ｂ２：電動介護ベッドＢＥＤのボード点Ｂ２をいい、第２の補強梁ＢＲ２が連結する、電動介護ベッドＢＥＤのボードＢＢ側の連結点を表す。あるいは、介助ポール１９との点Ｂ２をいい、第２の補強梁ＢＲ２が連結する、介助ポール１９と側の連結点を表す。
＜図２の補足説明＞
図面２では、ボルト穴ＢＨの数が２の場合を例示しているが、ボルト穴ＢＨの数は、３以上にすることも可能である。
図面２では、ボルトＢと手すり部９が一体の場合を第１態様として例示しているが、一体でない場合を第２態様として図９に例示している。
＜図５の補足説明＞
図面５では、水平梁３９に、点滴装置を吊るすことができる。
図面５では、第２の介助ポール２９は、点滴装置などを水平梁３９に吊るすために、水平梁９３９を支えるために必要である。
第２の補強梁ＢＲ２が第２の介助ポール２９と連結するのではなく、電動介護ベッドＢＥＤのボードＢＢと連結するのが望ましい。
何故ならば、介助ポール２９の構造体の強度が、後者の方が優れているからである。
＜図６の補足説明＞
図面６では、水平梁３９が設置されていない。水平梁３９が設置されていない場合には、第２の介助ポール２９は、必要ではない。
しかしながら、水平梁３９に点滴装置を吊るす場合には、第２の介助ポール２９は、水平梁３９を支えるために必要である。
第２の補強梁ＢＲ２が第２の介助ポール２９と連結するのではなく、電動介護ベッドＢＥＤのボードＢＢと連結するのが望ましい。
何故ならば、介助ポール２９の構造体の強度が、後者の方が優れているからである。
＜図７の補足説明＞
図面７では、第２の介助ポール２９が介助ポール１９と同じ高さのポールとして表示されているが、第２の介助ポール２９の高さは、介助ポール１９の高さより低くするのがよい。
そして、介助ポール１９と第２の介助ポール２９が、それぞれ内側介助ポールと外側介助ポールからなり、内側介助ポールを外側介助ポールに挿入する構造とすることが可能である。
介助ポール１９においては、外側介助ポール（介助ポール１９の下側（根元側）部分）を固定板ＦＰに固定し、内側介助ポールを外側介助ポールに挿入して組立可能とする。
第２の介助ポール２９においては、外側介助ポール（介助ポール２９の下側（根元側）部分）を固定板ＦＰに固定するものの、内側介助ポールは、外側介助ポールに挿入しなくてもよい。
＜図８の補足説明＞
図面８において、介助ポール１９と、第２の介助ポール２９が、内側介助ポールと外側介助ポールからなり、内側介助ポールを外側介助ポールに挿入する構造とし、介助ポール１９の下側（根元側）に外側介助ポールを挿入して組立可能とし、外側介助ポールを下側（根元）になるようにする場合、介助ポール１９と、第２の介助ポール２９のポールの外側介助ポール（下側（根元））のみが、固定板ＦＰに対して垂直方向に固定してなる。
そして、介助ポール１９の内側介助ポールが、介助ポール１９のポールの外側介助ポール（下側（根元））内に挿入してなる。
第２の介助ポール２９のポールの外側介助ポール（下側（根元））は、固定板ＦＰに対して垂直方向に固定してなるが、介助ポール２９の内側介助ポールが、介助ポール２９のポールの外側介助ポール（下側（根元））内に挿入してない。
しかしながら、水平梁３９に点滴装置を吊るす場合には、第２の介助ポール２９は、水平梁３９を支えるために、介助ポール２９の内側介助ポールが、介助ポール２９のポールの外側介助ポール（下側（根元））内に挿入されてなる。
課題を解決するための手段は、本願の実用新案登録請求の範囲の各請求項に記載の考案であり、その具体的な解決手段は、以下の通りである。
○第１の考案（請求項１に記載の考案）  
上記の課題を解決するための第１の考案（請求項１に記載の考案）は、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることを特徴とする電動介護ベッドＢＥＤに脱着可能に設置できる脱着式介助ポール装置２０である。
○第２の考案（請求項２に記載の考案）  
上記の課題を解決するための第２の考案（請求項２に記載の考案）は、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することを特徴とする請求項１に記載された電動介護ベッドＢＥＤに脱着可能に設置できる脱着式介助ポール装置２０である。
○第３の考案（請求項３に記載の考案）
上記の課題を解決するための第３の考案（請求項３に記載の考案）は、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することを特徴とする請求項１〜２の何れかに記載された電動介護ベッドＢＥＤに脱着可能に設置できる脱着式介助ポール装置２０である。
○第４の考案（請求項４に記載の考案）
上記の課題を解決するための第４の考案（請求項４に記載の考案）は、
介助ポール１９と第２の介助ポール２９の上端同士が水平梁３９で連結されていることを特徴とする請求項１〜３の何れかに記載された電動介護ベッドＢＥＤに脱着可能に設置できる脱着式介助ポール装置２０である。
○第５の考案（請求項５に記載の考案）
上記の課題を解決するための第５の考案（請求項５に記載の考案）は、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることを特徴とする請求項１〜４の何れかに記載された電動介護ベッドＢＥＤに脱着可能に設置できる脱着式介助ポール装置２０である。
○第６の考案（請求項６に記載の考案）
上記の課題を解決するための第６の考案（請求項６に記載の考案）は、
上記請求項１〜５の何れかに記載された電動介護ベッドＢＥＤに脱着可能に設置できる脱着式介助ポール装置２０を設置した電動介護ベッドＢＥＤである。
【考案の効果】
【０００７】
本考案に係る、電動介護ベッドＢＥＤに脱着可能に設置できる脱着式介助ポール装置２０は、上記のような特徴的構成要件から構成され、特徴的構成要件に応じた、以下のような本願考案特有の効果を奏する。
また、上記の各考案に応じた、上記のような特徴的構成要件から構成された電動介護ベッドＢＥＤに脱着可能に設置できる脱着式介助ポール装置２０によれば、本願考案の課題を十分解消することができた。
○第１の考案の効果
第１の考案によれば、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
○第２の考案の効果
第２の考案によれば、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することという特徴的な構成要件により、本考案が解決しようとする第１課題〜第３課題を達成することができ、当業者予測不可能な顕著な効果を奏することができた。
○第３の考案の効果
第３の考案によれば、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することという特徴的な構成要件により、本考案が解決しようとする第１課題〜第３課題を達成することができ、当業者予測不可能な顕著な効果を奏することができた。
○第４の考案の効果
第４の考案によれば、
介助ポール１９と第２の介助ポール２９の上端同士が水平梁３９で連結されていることという特徴的な構成要件により、本考案が解決しようとする第１課題〜第３課題を達成することができ、当業者予測不可能な顕著な効果を奏することができた。
○第５の考案の効果
第５の考案によれば、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
○第６の考案の効果
第６の考案によれば、
上記請求項１〜５の何れかに記載された電動介護ベッドＢＥＤに脱着可能に設置できる脱着式介助ポール装置２０を設置した電動介護ベッドＢＥＤという特徴的な構成要件により、本考案が解決しようとする第１課題〜第３課題を達成することができ、当業者予測不可能な顕著な効果を奏することができた。
【考案を実施するための最良の形態】
【０００８】
以下、本考案に係る、電動介護ベッドＢＥＤに脱着可能に設置できる脱着式介助ポール装置２０に関する最良の実施形態について、図面を参照しながら説明する。
［図１］図１は、脱着式手すり装置１０を有する電動介護ベッドＢＥＤに脱着可能に設置できる脱着式介助ポール装置２０を設置した電動介護ベッドＢＥＤを表した斜視図である。
［図２］図２は、脱着式手すり装置１０を脱着可能に設置できる電動介護ベッドＢＥＤ、脱着式手すり装置１０、脱着式介助ポール装置２０をそれぞれ分解表示した斜視図である。図２の左図は、脱着式手すり装置１０を脱着可能に設置できる電動介護ベッドＢＥＤの斜視図である。図２の中図は、脱着式手すり装置１０の斜視図である。図２の右図は、脱着式介助ポール装置２０の斜視図である。
［図３］図３（Ａ）図は、電動介護ベッドＢＥＤのベッド側板ＳＰに、脱着式手すり装置１０と脱着式介助ポール装置２０を設置（装着。）した状態を表した正面断面図を表す。図３（Ｂ）図は、図３（Ａ）図におけるＡ−Ａ断面矢視図である。
［図４］図４（Ａ）図は、図３（Ａ）図の拡大した正面断面図である。図４（Ｂ）図は、固定板ＦＰの平面図である。図４（Ｃ）図は、ベッド側板ＳＰの平面図である。
［図５］図５は、脱着式手すり装置１０を有する電動介護ベッドＢＥＤに脱着可能に設置できる脱着式介助ポール装置２０を設置した電動介護ベッドＢＥＤを表した斜視図（図１とは別の実施態様の考案を表した斜視図）である。
以下、本考案に係る、電動介護ベッドＢＥＤに脱着可能に設置できる脱着式介助ポール装置２０について、図面を参照しながら説明する。
［図６］図６は、脱着式手すり装置１０を有する電動介護ベッドＢＥＤに脱着可能に設置できる右側タイプの脱着式介助ポール装置２０を設置した電動介護ベッドＢＥＤを表した斜視図（図１とは別の実施態様の考案を表した斜視図）である。
［図７］図７は、脱着式手すり装置１０を有する電動介護ベッドＢＥＤに脱着可能に設置できる左側タイプの脱着式介助ポール装置２０を設置した電動介護ベッドＢＥＤを表した斜視図（図１とは別の実施態様の考案を表した斜視図）である。
［図８］図８は、脱着式手すり装置１０を表す斜視図である。図８（Ａ）図は、左側タイプの脱着式手すり装置１０を表す斜視図である。図８（Ｂ）図は、介助ポール１９、介助ポール２９を有する右側タイプの脱着式手すり装置１０を表す斜視図である。図８（Ｃ）図は、介助ポール１９、介助ポール２９を有する左側タイプの脱着式手すり装置１０を表す斜視図である。ここに、介助ポール１９、介助ポール２９が同一であれば、図８（Ｂ）図に表された介助ポール１９、介助ポール２９を有する右側タイプの脱着式手すり装置１０は、１８０°回転させれば、図８（Ｃ）図に表された介助ポール１９、介助ポール２９を有する左側タイプの脱着式手すり装置１０と同一（合同）である。
［図９］図９は、「手すり部９はボルトＢと連結する」の第２態様を表す図面である。図９の上図は、「手すり部９はボルトＢと連結する」の第２態様を表す平面図である。図９の下図は、「手すり部９はボルトＢと連結する」の第２態様を表す切断部端面図である。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることを特徴とする電動介護ベッドＢＥＤに脱着可能に設置できる脱着式介助ポール装置２０が開示されている。
○第１の考案の効果
第１の考案によれば、
脱着式手すり装置１０を有する電動介護ベッドＢＥＤに脱着可能に設置できる脱着式介助ポール装置２０において、脱着式手すり装置１０が、ボルトＢと連結する手すり部９とそれぞれのボルトＢに対応するボルト穴ＢＨを設けたベッド側板ＳＰとナットＮからなり、ベッド側板ＳＰの上面は水平面であり、手すり部９はボルトＢと連結してなり、脱着式介助ポール装置２０が、介助ポール１９と固定板ＦＰとからなり、介助ポール１９は固定板ＦＰに対して垂直方向に固定してなり、固定板ＦＰには、手すり部９に設置されたそれぞれのボルト穴ＢＨに対応するボルト穴ＢＮが設けてなり、
手すり部９とベッド側板ＳＰの上面の間に、介助ポール１９を固定した固定板ＦＰを挟持して、それぞれのボルト穴ＢＨを貫通したボルトＢとナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することを特徴とする請求項１に記載された電動介護ベッドＢＥＤに脱着可能に設置できる脱着式介助ポール装置２０が開示されている。
○第２の考案の効果
第２の考案によれば、
脱着式介助ポール装置２０が介助ポール１９と固定板ＦＰに加えて、介助ポール１９と連結する第１の補強梁ＢＲ１と第２の補強梁ＢＲ２からなり、第１の補強梁ＢＲ１と第２の補強梁ＢＲ２が、電動介護ベッドＢＥＤのボードＢＢと連結することという特徴的な構成要件により、本考案が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することを特徴とする請求項１〜２の何れかに記載された電動介護ベッドＢＥＤに脱着可能に設置できる脱着式介助ポール装置２０が開示されている。
○第３の考案の効果
第３の考案によれば、
脱着式介助ポール装置２０が、介助ポール１９と固定板ＦＰに加えて、第２の介助ポール２９とからなり、第２の介助ポール２９は固定板ＦＰに対して垂直方向に固定してなり、
第１の補強梁ＢＲ１は、電動介護ベッドＢＥＤのボードＢＢと連結し、第２の補強梁ＢＲ２は、第２の介助ポール２９と連結することという特徴的な構成要件により、本考案が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
介助ポール１９と第２の介助ポール２９の上端同士が水平梁３９で連結されていることを特徴とする請求項１〜３の何れかに記載された電動介護ベッドＢＥＤに脱着可能に設置できる脱着式介助ポール装置２０が開示されている。
○第４の考案の効果
第４の考案によれば、
介助ポール１９と第２の介助ポール２９の上端同士が水平梁３９で連結されていることという特徴的な構成要件により、本考案が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることを特徴とする請求項１〜４の何れかに記載された電動介護ベッドＢＥＤに脱着可能に設置できる脱着式介助ポール装置２０が開示されている。
○第５の考案の効果
第５の考案によれば、
ナットＮを緩めてナットＮとボルトＢと連結した手すり部１９を、ボルト穴ＢＨを設けたベッド側板ＳＰから取り外した後、ベッド側板ＳＰの上面に介助ポール１９の固定板ＦＰを、固定板ＦＰとベッド側板ＳＰのボルト穴ＢＨが重なるように載せ、次に、取り外した手すり部１９のボルトＢを重ねたボルト穴ＢＨに上から挿入させ、手すり部１９とベッド側板ＳＰの上面の間に、介助ポール１９を固定した固定板ＦＰを挟持した後、貫通したボルトＢをナットＮで締め付けることによって手すり装置１０と介助ポール装置２０がベッド側板ＳＰに取り付けられてなることという特徴的な構成要件により、本考案が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動介護ベッドＢＥＤに脱着可能に設置できる脱着式介助ポール装置２０において、
上記請求項１〜５の何れかに記載された電動介護ベッドＢＥＤに脱着可能に設置できる脱着式介助ポール装置２０を設置した電動介護ベッドＢＥＤが開示されている。
○第６の考案の効果
第６の考案によれば、
上記請求項１〜５の何れかに記載された電動介護ベッドＢＥＤに脱着可能に設置できる脱着式介助ポール装置２０を設置した電動介護ベッドＢＥＤという特徴的な構成要件により、本考案が解決しようとする第１課題〜第３課題を達成することができ、当業者予測不可能な顕著な効果を奏することができた。
【図面の簡単な説明】
【０００９】
【図１】図１は、脱着式手すり装置１０を有する電動介護ベッドＢＥＤに脱着可能に設置できる脱着式介助ポール装置２０を設置した電動介護ベッドＢＥＤを表した斜視図である。
【図２】図２は、脱着式手すり装置１０を脱着可能に設置できる電動介護ベッドＢＥＤ、脱着式手すり装置１０、脱着式介助ポール装置２０をそれぞれ分解表示した斜視図である。図２の左図は、脱着式手すり装置１０を脱着可能に設置できる電動介護ベッドＢＥＤの斜視図である。図２の中図は、脱着式手すり装置１０の斜視図である。図２の右図は、脱着式介助ポール装置２０の斜視図である。
【図３】図３（Ａ）図は、電動介護ベッドＢＥＤのベッド側板ＳＰに、脱着式手すり装置１０と脱着式介助ポール装置２０を設置（装着。）した状態を表した正面断面図を表す。図３（Ｂ）図は、図３（Ａ）図におけるＡ−Ａ断面矢視図である。
【図４】図４（Ａ）図は、図３（Ａ）図の拡大した正面断面図である。図４（Ｂ）図は、固定板ＦＰの平面図である。図４（Ｃ）図は、ベッド側板ＳＰの平面図である。
【図５】図５は、脱着式手すり装置１０を有する電動介護ベッドＢＥＤに脱着可能に設置できる脱着式介助ポール装置２０を設置した電動介護ベッドＢＥＤを表した斜視図（図１とは別の実施態様の考案を表した斜視図）である。
【図６】図６は、脱着式手すり装置１０を有する電動介護ベッドＢＥＤに脱着可能に設置できる右側タイプの脱着式介助ポール装置２０を設置した電動介護ベッドＢＥＤを表した斜視図（図１とは別の実施態様の考案を表した斜視図）である。
【図７】図７は、脱着式手すり装置１０を有する電動介護ベッドＢＥＤに脱着可能に設置できる左側タイプの脱着式介助ポール装置２０を設置した電動介護ベッドＢＥＤを表した斜視図（図１とは別の実施態様の考案を表した斜視図）である。
【図８】図８は、脱着式手すり装置１０を表す斜視図である。図８（Ａ）図は、左側タイプの脱着式手すり装置１０を表す斜視図である。図８（Ｂ）図は、介助ポール１９、介助ポール２９を有する右側タイプの脱着式手すり装置１０を表す斜視図である。図８（Ｃ）図は、介助ポール１９、介助ポール２９を有する左側タイプの脱着式手すり装置１０を表す斜視図である。ここに、介助ポール１９、介助ポール２９が同一であれば、図８（Ｂ）図に表された介助ポール１９、介助ポール２９を有する右側タイプの脱着式手すり装置１０は、１８０°回転させれば、図８（Ｃ）図に表された介助ポール１９、介助ポール２９を有する左側タイプの脱着式手すり装置１０と同一（合同）である。
【図９】図９は、「手すり部９はボルトＢと連結する」の第２態様を表す図面である。図９の上図は、「手すり部９はボルトＢと連結する」の第２態様を表す平面図である。図９の下図は、「手すり部９はボルトＢと連結する」の第２態様を表す切断部端面図である。
【符号の説明】
【００１０】
ＢＥＤ……電動介護ベッド
ＳＰ……ベッド側板
ＢＨ……ボルト穴
１０……手すり装置
９……手すり部
Ｂ……ボルト
Ｎ……ナット
２０……介助ポール装置
１９……介助ポール
２９……介助ポール（第２の介助ポール）
３９……水平梁
ＦＰ……固定板
ＢＨ……ボルト穴
ＢＲ１……第１の補強梁
ＢＲ２……第２の補強梁
Ｂ１……電動介護ベッドＢＥＤのボード点Ｂ１
Ｂ２……電動介護ベッドＢＥＤのボード点Ｂ２